(57)【要約】【課題】今までの脊椎矯正器は軽い腰痛に効果があったが、矯正方向と矯正力が適切でないため治療難易度の高い頚椎症、及び腰痛症の改善には至らないものであった。【解決手段】本発明は、実施状態を示す第一の半径R部と、第二の半径R部とを頚椎、もしくは腰椎に位置させる脊椎矯正器である。これによる人体の治療場所は、第一の半径R部、もしくは第二の半径R部を治療箇所に位置させ、この２ケ所で仰向けにして体を支えた状態で、体重をかけることによって、R部により支える力と、筋肉により支える力の差異で、歪んだ椎間板が上下に伸びる方向に牽引する力が働き、強い矯正力が加わり、治療効果を得られるものである。【選択図】図１
2019025199.tif 000002
【特許請求の範囲】
【請求項１】
人体の脊椎に対向させて使用する脊椎矯正器であって、
背中に当たる上面を有し、
前記上面から人体の頭方向の正面につながる辺縁と、
前記上面から人体の尻方向の背面につながる辺縁を共に曲面で構成する長方体形状を有し、
前記長方体の高さは２５ｍｍから６０ｍｍの範囲であり、
前記長方体の幅は人体の腰椎に沿ったツボを包含する６０ｍｍから２５０ｍｍの範囲であり、
前記長方体の長さは、１００ｍｍから２２０ｍｍの範囲であり、
前記曲面の曲率半径Rの値は１０ｍｍから６０ｍｍの範囲であり、Rが同じか、又は前記上面に近づくほどRが大きくなり、
形成素材が木材か、樹脂か、金属か、セラミックであることを特徴とする脊椎矯正器。
【請求項２】
人体の脊椎に対向させて使用する脊椎矯正器であって、
背中に当たる上面を有し、上面は下面に斜めに位置し、
前記上面から人体の頭方向の正面につながる辺縁を曲面で構成する６面体形状、もしくは５面体形状を有し、
前記６面体形状、もしくは前記５面体形状の高さは２５ｍｍから６０ｍｍの範囲であり、
前記６面体形状、もしくは前記５面体形状の幅は人体の腰椎に沿ったツボを包含する６０ｍｍから２５０ｍｍの範囲であり、
前記６面体形状、もしくは前記５面体形状の長さは、１００ｍｍから２２０ｍｍの範囲であり、
前記曲面の曲率半径Rの値は１０ｍｍから６０ｍｍの範囲であり、Rが同じか、又は前記上面に近づくほどRが大きくなり、
形成素材が木材か、樹脂か、金属か、セラミックであることを特徴とする脊椎矯正器。
【請求項３】
前記上面に対向する下面と、前記上面をつなぐ側面の長辺の中央を含む領域に凹部を有することを特徴とする、請求項１、または２に記載の脊椎矯正器。
【請求項４】
腰椎に当てた場合に、前記上面の腰椎左右のツボ位置の幅に平行する位置、
もしくは頚椎に当てた場合に、前記側面の頚椎左右のツボ位置に、
複数の磁石を備えることを特徴とする請求項１から３のいずれかに記載の脊椎矯正器。
【請求項５】
腰椎に当てた場合に、前記正面側及び背面側の上部の第一の半径R部と、第二の半径R部に隣接する位置に、椅子への固定ベルトを通す貫通穴を有することを特徴とする請求項１から４のいずれかに記載の脊椎矯正器。
【請求項６】
前記長方体、もしくは前記６面体形状、もしくは前記５面体形状の、
少なくとも上面に弾性材を備えることを特徴とする請求項１から５のいずれかに記載の脊椎矯正器。
【発明の詳細な説明】
【技術分野】
【０００１】
本発明は、初老期、職業病、生理的理由による頚椎症、及び腰痛症について改善効果がある脊椎矯正器に関するものである。
【背景技術】
【０００２】
年齢を重ねた脊椎は、首を支える頚椎と、腰椎の部分で椎間板の狭窄、椎間板の傾きなどの、歪みを生じることがある。
特に、背骨の中央付近にある脊髄神経の通り道である脊柱管が、狭窄し神経を圧迫する際には腰部脊柱管狭窄症となり、腰痛や坐骨神経痛などの痛みやシビレといった症状が起こる。
【０００３】
椎間板の歪みに対して、指圧での矯正は指を脊椎の両側を押圧し、脊椎骨の間を広げる手業があり、同様の押圧を行う脊椎矯正器もある。矯正器での形は、手の指、ボール、パイプなどが提案されている。脊椎矯正器は、特許文献１に示すように、指圧に代わる突起があるものも知られている。
【先行技術文献】
【特許文献】
【０００４】
【特許文献１】特開平１１−１６９４２７号公報
【発明の概要】
【発明が解決しようとする課題】
【０００５】
しかし、脊椎矯正器は腰椎に押圧する形が丸の形状になるため、腰椎を牽引して、椎間板を開く方向に力を加えることができなかった。
そのため、今までの指圧や脊椎矯正器は、腰痛に一時的な痛みの軽減で効果があったが、治療難易度の高い頚椎症や腰椎症の改善には至らないものであった。
【０００６】
腰部の脊椎形状に合致する湾曲を持ち機器も提案されているが、仰向けに寝た脊椎の広い範囲に均等に体重を加えるため、椎間板を開く方向へは力が弱く、使用により痛みや和らぐが、治療への矯正効果がないものであった。
本発明は、従来の脊椎矯正器での構造の欠点を解消することで、頚椎症や腰痛症を治療するものである。
【課題を解決するための手段】
【０００７】
本発明は次の手段により構成される。
（１）請求項１で解決しようとする手段
人体の脊椎に対向させて使用する脊椎矯正器であって、
背中に当たる上面を有し、
前記上面から人体の頭方向の正面につながる辺縁と、
前記上面から人体の尻方向の背面につながる辺縁を共に曲面で構成する長方体形状を有し、
前記長方体の高さは２５ｍｍから６０ｍｍの範囲であり、
前記長方体の幅は人体の腰椎に沿ったツボを包含する６０ｍｍから２５０ｍｍの範囲であり、
前記長方体の長さは、１００ｍｍから２２０ｍｍの範囲であり、
前記曲面の曲率半径Rの値は１０ｍｍから６０ｍｍの範囲であり、Rが同じか、又は前記上面に近づくほどRが大きくなり、
形成素材が木材か、樹脂か、金属か、セラミックであることを特徴とする脊椎矯正器であり、
この前記上部の角である第一の半径R部と、第二の半径R部とを人体の腰椎と胸椎下部に位置させ、半径R部の２ケ所に体重がかかることによって、歪んだ椎間板にR部により支える力と、筋肉により支える力の差異で、牽引する力が働き、矯正力が加わり、治療効果を得るものである。
【０００８】
（２）請求項２で解決しようとする手段
人体の脊椎に対向させて使用する脊椎矯正器であって、
背中に当たる上面を有し、上面は下面に斜めに位置し、
前記上面から人体の頭方向の正面につながる辺縁を曲面で構成する６面体形状、もしくは５面体形状を有し、
前記６面体形状、もしくは前記５面体形状の高さは２５ｍｍから６０ｍｍの範囲であり、
前記６面体形状、もしくは前記５面体形状の幅は人体の腰椎に沿ったツボを包含する６０ｍｍから２５０ｍｍの範囲であり、
前記６面体形状、もしくは前記５面体形状の長さは、１００ｍｍから２２０ｍｍの範囲であり、
前記曲面の曲率半径Rの値は１０ｍｍから６０ｍｍの範囲であり、Rが同じか、又は前記上面に近づくほどRが大きくなり、
形成素材が木材か、樹脂か、金属か、セラミックであることを特徴とする脊椎矯正器であり、
この前記上部の角である、第一の半径R部を人体の腰椎下部に位置させ、体重がかかることによって、歪んだ椎間板にR部により支える力と、筋肉により支える力の差異で、牽引する力が働き、請求項１より強い矯正力が加わり、治療効果を得られるものである。
【０００９】
（３）請求項３で解決しようとする手段
前記上面に対向する下面と、前記上面をつなぐ側面の長辺の中央を含む領域に凹部を有することを特徴とする、請求項１、または２に記載の脊椎矯正器であり、頚椎への治療効果を得られるものである。
【００１０】
（４）請求項４で解決しようとする手段
腰椎に当てた場合に、前記上面の腰椎左右のツボ位置の幅に平行する位置、
もしくは頚椎に当てた場合に、前記側面の頚椎左右のツボ位置に、
複数の磁石を備えることを特徴とする請求項１から３のいずれかに記載の脊椎矯正器であり、
腰部もしくは頚椎の血流をよくし治療効果をさらに高めるものである。
【００１１】
（５）請求項５で解決しようとする手段
腰椎に当てた場合に、前記正面側及び背面側の上部の第一の半径R部と、第二の半径R部に隣接する位置に、椅子への固定ベルトを通す貫通穴を有することを特徴とする請求項１から４のいずれかに記載の脊椎矯正器であり、
仰向けの状態だけでなく、椅子に座った状態でも使うことができるものである。
【００１２】
（６）請求項６で解決しようとする手段
前記長方体、もしくは前記６面体形状、もしくは前記５面体形状の、
少なくとも上面に弾性材を備えることを特徴とする請求項１から５のいずれかに記載の脊椎矯正器であり、
仰向けの状態でマットや布団上だけでなく、固いフローリングでも使うことができるものである。
【発明の効果】
【００１３】
本発明は、脊椎骨に対する牽引と磁気による治療で、初老期、職業病、生理的理由による頚椎症、及び腰痛症などの疾病の要因である、椎間板の歪みを改善する。
【図面の簡単な説明】
【００１４】
【図１】本発明の実施形態の斜視図
【図２】本発明の実施形態の正面図
【図３】本発明の実施形態の背面図
【図４】本発明の実施形態の右側面図
【図５】本発明の実施形態の左側面図
【図６】本発明の実施形態の上面図
【図７】本発明の実施形態の下面図
【図８】本発明の実施形態のＡ−Ａ’断面図
【図９】本発明の実施形態のB−B’断面図
【図１０】本発明の実施形態の右側面図
【図１１】本発明の実施形態の第１の参考図
【図１２】本発明の実施形態の第２の参考図
【図１３】本発明の実施形態の第３の参考図
【図１４】本発明の実施形態の第４の参考図
【図１５】本発明の実施形態の第５の参考図
【発明を実施するための形態】
【００１５】
脊椎骨の頚椎症、及び腰痛症の歪みを治療するため、適切な角度で力を加え矯正し、さらに磁力を与えて複合的に治療する脊椎矯正器を実現した。
【００１６】
本発明の実施形態を第１から第３の参考図（図１１から図１３）により説明する。
図のL、S、Tの記号は頚椎を構成する骨の番号であり、Lは腰椎、Sは仙骨、Tは胸椎を示し、付帯する数字で頭部からの骨の順番を示す。
本発明の実施形態では腰椎の歪みを例にするが、脊椎の歪みについても同様の効果がある。
腰の疾病での、腰椎のL４／L５ないし、仙骨を含めるL５／S１間の椎間板が背中側から飛び出すのが腰椎椎間板ヘルニアである。軽い腰痛もこの部分で発生することが多い。脊椎外科医の腰椎椎間板ヘルニアの事例ではL４／L５が５６％、次いでL３／L４が２３％、L５／S１が１２％となっている。
腰部脊柱管狭窄症の場合には歪む箇所がL１からL５、T１１、T１２までの広い範囲となる。
【００１７】
本発明の効果は、本発明の実施形態の第２の参考図（図１２）にて拡大して示すとおり、
第一の半径R部（４）により、R部により支える力（２０）が発生し、
R部により支える力（２０）と筋肉により支える力（２１）の差異により、牽引する力（２２）が仙骨S１、腰椎L５、L４、L３間を上下に加わることで、椎間板を開き、矯正する方向に働く。
歪みの部位により、第３の参考図（図１３）に該当する場合もある。
【００１８】
牽引方向は直接的に椎間板を開く方向への牽引と共に、椎間板を上下にスライドさせる力を加えることで、さらに、柔軟性がある椎間板へと、歪みを改善させる。
【００１９】
この上下のスライド方向は四つ足で歩く動物で常に体重がかかる方向であるが、人間の場合はこの方向に力を加えることがなく、支える筋肉も固まっている。
四つ足の動物では常に脊椎が地面と平行な位置であり、これが脊椎にとって安定する状態である。本発明ではその上下のスライド方向に牽引することで脊椎と、脊椎を支える筋肉の柔軟性を高めるものである。
【００２０】
本発明の第一の半径R部、もしくは第二の半径R部は歪みのある椎間板の部分に位置させ、治療者が体重を加えるだけで、牽引ができる。この際、歪みのない椎間板にも牽引の力が加わるが、その場合は椎間板の柔軟性を増すことで、正常な状態を継続させるストレッチ体操となる。
【００２１】
R部により支える力（２０）は、一回の治療時間1５分を目処に心地よい圧力を継続して加えることができる値である。半径Rの値が小さいほど、２つの骨にかかる力が強く、Rの値が大きいほど力が弱くなる。このRの値は身長や体重によって異なる。
腰部脊柱管狭窄症の場合で使用は１回１５分を1日に数回実施し、２週間で治療サイクルが完了する。
【００２２】
（１）図１から図７、図１１から図１３  請求項１の実施形態
斜視図（図１）、正面図（図２）、背面図（図３）、右側面図（図４）、左側面図（図５）、上面図（図６）、下面図（図７、底面図ともいう）、第１から第３の参考図（図１１から図１３）は、人体の脊椎に対向させて使用する本発明の請求項１に示すものである。
【００２３】
本発明の実施形態の脊椎矯正器は長方体であり、長さ１００から２２０ｍｍ、幅が６０から２５０ｍｍ、高さが２５から６０ｍｍの間に収まるが、それに限定するものではない。
このサイズにより第１の参考図（図１１）に示す脊椎のL１からL５に加わる力と、牽引の強さが定まり、次に詳細を記載する。
【００２４】
脊椎矯正器の長さは１００から２２０ｍｍの範囲であり、これは男性の平均身長１６７．３cmと女性平均身長１５４．２cmと、腰椎の平均長の１７０ｍｍから定めたものである。
腰椎はL１からL５から構成されており、この全体の平均長は１７０ｍｍである。長さの最短はL３からL５までの長さであり、３／５で１０２ｍｍとなる。最長は腰椎のL１からL５に腰部脊柱管狭窄症の場合にはT１１、T１２までの範囲を加え２２０ｍｍとした。
脊椎矯正器の長さは２００ｍｍが図面の実施形態であり、これは腰椎L１から腰椎L５を含む長さである。
長さが１００ｍｍより短いと、腰椎の３つまでを包含できなくなる。また、２２０ｍｍより長くすると、腰椎の疾病範囲以上となり治療器として不要な大きさになる。
【００２５】
脊椎矯正器の幅は６０から２５０ｍｍであり、
これは、人体の頚椎に平行するツボの幅が６０ｍｍ、骨盤幅の平均は２５０ｍｍでありその内に収まる値である。
この幅で、使用者の体重をかける面積が定まり、幅の図面の実施形態は８５ｍｍである。
この８５ｍｍは頚椎での横向きにした使用も配慮した値である。
幅が６０ｍｍでは治療の強度が強く、２５０ｍｍに近づくと弱くなる。
さらに幅については６０ｍｍより狭いと、頚椎の左右にあるツボの部分を包含できなくなる。２５０ｍｍより長くすると腰の幅より広くなり、治療に不要な構造を含むことになる。
【００２６】
脊椎矯正器の高さは２５から６０ｍｍの範囲である。矯正の強度は、体重をかける面積と共に、高さが高いほど強くなり、高さが低いほど弱くなる。
本発明の腰椎での使用時の高さの図面の実施形態は３８ｍｍである。
腰椎での使用時に高さが２５ｍｍより低いと治療効果がない。６０ｍｍに近付くと牽引が強くなり、６０ｍｍ以上では腰痛を悪化させる。
【００２７】
さらに、本発明の特徴は体の頭方向の正面につながる辺縁と、
前記上面から人体の尻方向の背面につながる辺縁が曲面であることで、
第１から第３の参考図（図１１から１３）の、R部により支える力（２０）により牽引治療に適切な方向と、強度を保つ点である。
強度は次のRの半径の値からも定められる。半径が小さいほど強度が強く、半径が大きいほど強度が弱くなる。
さらに半径Rは一定の半径ではく、体型に合致するように部分により半径の値を変更している。半径Rの値は上面部（２）に近くなるほどRの値を大きくする形状が望ましい。
図面の実施形態としては、正面からの立上の半径Rが３０ｍｍ、上面近くのRが６０ｍｍとしている。
【００２８】
本素材は、変形しない硬質素材を用いる。例として木材、プラスチック、合成樹脂、金属、セラミックなどがある。
【００２９】
本発明の使用方法は床にマットを敷いた状態で、体を仰向けにして使う。
マットの材質は厚みが５０から１２０ｍｍの高反発マットが望ましく、図面の実施形態では８０ｍｍとしている。
ベッドには高反発マットを敷いた上で使用するとよい。厚手の布団、座布団は高反発マットの代用で使うことができる。
【００３０】
（２）図２、図７、図１０  請求項２の実施形態
正面図（図２）、下面図（図７）、右側面図（図１０）は、本発明の請求項２に示すものである。
【００３１】
この特徴は右側面図（図１０）に示すように、上面が斜めとなる。前記上面から人体の頭方向の正面につながる辺縁を曲面で構成することで、６面体形状、もしくは５面体形状となる。５面体形状の場合には６面体形状の背面がなく、上面と底面が直接つながる形状となる。
これにより第一の半径R部を、人体の腰椎の治療箇所に位置させる際、一箇所に体重をかけることによって、歪んだ椎間板にR部により支える力と、筋肉により支える力の差異がより大きくなった牽引力が働き、より強い矯正力が加わり、治療効果を得られるものである。
本素材は、変形しない硬質素材を用いる。例として木材、プラスチック、合成樹脂、金属、セラミックなどがある。
【００３２】
（３）  図１、図６、図７、図１５  請求項３の実施形態
第５の参考図（図１５）は頚椎の歪みを矯正する際の本体の位置を示す。
使用方法は斜視図（図１）の本体を第１の参考図（図１１）の位置からマットと並行に９０度回転し、さらに下面（底面ともいう）の長辺を軸に９０度回転させ、第５の参考図（図１５）のように置くものである。
ここでは、図１、図６、図７、に示す側面の長辺の中央に凹部（１４）があることを特徴とする。この凹部を首の後ろの頚椎（１５）に当てた場合に、頚椎を凹部で支える。
側面での、凹部の凹みは５から１２ｍｍとする。図面の実施形態での凹みは８ｍｍである。
図１５に示す頚椎への使用時の高さの図面の実施形態は下面の短編幅でもある８５ｍｍである。
（４）図１、図６、図７、図９  請求項４の実施形態
斜視図（図１）、上面図（図６）、下面図（図７）、B−B’断面図（図９）は、本発明の請求項４に示すものである。
斜視図（図１）、上面図（図６）は、強力ネオジウム磁石を上面のツボに当たるラインと、側面のツボに当たるラインに、磁石大（５）と磁石小（６）を備えたものである。
磁石は２ｍｍから３ｍｍの厚みを持つもので、高さをB−B’断面図（図９）に示す。
【００３３】
実施形態はネオジウム磁石であるが、これに限定しなく、その他強力な磁界を発するもの等でもよい。
これにより、上面で腰椎に効果がある磁力を発生させ、側面で頚椎に治療効果のある磁力を発生させる。
頚椎に対しての磁石は、右側面と左側面の両側に備えることで上下関係なく使用できるようにし、操作性をよくする。
【００３４】
（５）図１、図２、図３、図６、図７、図８  請求項５の実施形態
斜視図（図１）、正面図（図２）、背面図（図３）、上面図（図６）、下面図（図７）、A−A’断面図（図８）は、本発明の請求項５に示すものである。
【００３５】
貫通穴（７）に紐、またはベルトを通し、椅子に固定する。３つの貫通穴の内２ケ所は椅子を椅子面に平行して回し、１ケ所は上下に固定するために使用する。
本体の向きは脊椎に平行な縦向きを推奨するが、横向きでも使うことができる。
これにより、自動車の座席や、オフィスの椅子に座った状態で治療を行うことができる。
【００３６】
（６）図１４  請求項６の実施形態
第４の参考図（図１４）は、本発明の断面図であって請求項６に示すものである。
少なくとも上面に弾性材を備え、他の面に弾性材を備えてもよい。
第４の参考図（図１４）は立方体の上面に人体で押された際の厚さが３ｍｍから１０ｍｍの弾性材（３０）を有することで、マットや布団を使うことなく、固いフローリングでも使うことができる。
【００３７】
弾性材は硬質スポンジが適しており、押された際の厚さが３ｍｍ以内だと装着するメリットが少なく、１０ｍｍ以上だと、牽引力が低下し治療に適さない。
弾性材を合わせた立方体の高さは体重をかけた状態で、請求項１の高さである２５から６０ｍｍの範囲に収まるものとする。
弾性材は高反発マットでもよく、長方体の下面に貼り付けてもよい。
さらに、本体をポリエステル素材などの、本体を出し入れできるカバー（３１）で覆うことで、洗濯などの利便性を図る。
【産業上の利用可能性】
【００３８】
初老期、職業病、生理的理由による頚椎症、腰痛症について改善効果がある脊椎矯正に関するものである。
【符号の説明】
【００３９】
１  本体
２  上面部
３  第一の半径R部
４  第二の半径R部
５  磁石大
６  磁石小
７  貫通穴
８  マット
１０  腰椎
１１  胸椎
１２  仙骨
１３  椎間板
１４  凹部
１５  頚椎
２０  R部により支える力
２１  筋肉により支える力
２２  牽引する力
３０  弾性材
３１  カバー
【図１】
2019025199.tif 000003
【図２】
2019025199.tif 000004
【図３】
2019025199.tif 000005
【図４】
2019025199.tif 000006
【図５】
2019025199.tif 000007
【図６】
2019025199.tif 000008
【図７】
2019025199.tif 000009
【図８】
2019025199.tif 000010
【図９】
2019025199.tif 000011
【図１０】
2019025199.tif 000012
【図１１】
2019025199.tif 000013
【図１２】
2019025199.tif 000014
【図１３】
2019025199.tif 000015
【図１４】
2019025199.tif 000016
【図１５】
2019025199.tif 000017